(57)【要約】【課題】いわゆる糸吊りゴトと呼ばれる不正行為を有効に防止し得る遊技機用の流入ユニット及び遊技機を提供すること。【解決手段】この流入ユニットは、遊技媒体の流下による遊技を実現する遊技領域内に配置される遊技機用の流入ユニットであって、遊技媒体を流入させる流入開口部の下流側に配置されて、流入開口部に流入した遊技媒体の流下を検出する通過センサと、通過センサの近傍に配置されており、遊技媒体に糸状体が連結されて糸状体が遊技媒体を吊下している場合に通過センサ近傍において糸状体を切断する切断部とを有する。【選択図】図３
2012147996.tif 000002
【特許請求の範囲】
【請求項１】
遊技媒体の流下による遊技を実現する遊技領域内に配置される遊技機用の流入ユニットであって、
前記遊技媒体を流入させる流入開口部の下流側に配置されて、該流入開口部に流入した前記遊技媒体の流下を検出する通過センサと、
該通過センサの近傍に配置されており、前記遊技媒体に糸状体が連結されて該糸状体が該遊技媒体を吊下している場合に前記通過センサ近傍において該糸状体を切断する切断部と、を有する流入ユニット。
【請求項２】
前記切断部が、
前記流入開口に流入して通過経路内を流下する前記遊技媒体に当接する当接部と、
前記遊技媒体と前記当接部との当接により該当接部が移動することに伴い前記通過経路内に侵入する刃部と、を有し、
前記遊技媒体の前記通過経路内の流下に伴い該遊技媒体と前記当接部とが当接することにより、前記刃部が前記通過経路内に非電力動作により侵入して、該刃部が前記糸状体を切断する、請求項１に記載の流入ユニット。
【請求項３】
前記切断部が、
前記通過経路内を前記遊技媒体が逆流することにより前記遊技媒体に当接する第２当接部と、
前記遊技媒体と前記第２当接部との当接により該第２当接部が移動することに伴い前記通過経路内に侵入する第２刃部と、を有し、
前記遊技媒体の前記通過経路内の逆流に伴い該遊技媒体と前記第２当接部とが当接し、その結果、前記第２刃部が前記通過経路内に侵入することにより、該刃部が前記糸状体を切断する、請求項２に記載の流入ユニット。
【請求項４】
前記当接部が前記通過センサの近傍かつ下流側に配置されている、請求項３に記載の流入ユニット。
【請求項５】
前記切断部は、前記通過経路内に進退可能な当接片を有しており、
該当接片の上流側面が当接部とされ、
該当接片の下流側面が第２当接部とされ、
該当接片の先端部に前記当接部と前記第２当接部とに挟まれるように前記第２刃部が形成されており、
前記当接部が前記第２当接部よりも前記通過経路内に長く延びるように、前記第２刃部が下流側に向けてテーパ面を有している、請求項４に記載の流入ユニット。
【請求項６】
遊技媒体を流入させる流入開口部と、該流入開口部の下流側に配置されて、該流入開口部に流入した前記遊技媒体の流下を検出する通過センサと、該通過センサの近傍に配置されており、前記遊技媒体に糸状体が連結されて該糸状体が該遊技媒体を吊下している場合に前記通過センサ近傍において該糸状体を切断する切断部と、を有し、かつ、前記遊技媒体の流下による遊技を実現する遊技領域内に配置される遊技機用の流入ユニットと、
前記遊技領域を表面に画定する遊技盤と、
該遊技盤を保持する遊技機枠と、
前記遊技盤の前方に一定距離離間して配置されるガラスと、
前記遊技媒体を前記遊技領域に向けて発射する発射ユニットと、
前記遊技媒体を貯留する貯留皿と、を有する遊技機。
【発明の詳細な説明】
【技術分野】
【０００１】
本発明は、遊技機用の流入ユニット及び遊技機に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機に用いられる遊技球を計数する計数機として、例えば、特許文献１に開示のものが提案されている。これによれば、計数レーンの各列に逆流防止ストッパーが配置されており、遊技球の逆流が防止されるようになっている。
【先行技術文献】
【特許文献】
【０００４】
【特許文献１】特開２００１−２２４８２９号公報
【発明の概要】
【発明が解決しようとする課題】
【０００５】
近年、多量の賞球を獲得するために、様々な不正行為が行われている。例えば、発射する遊技球に糸をくくりつけて発射する、いわゆる糸吊りゴトと呼ばれる不正行為がある。糸吊りゴトでは、糸を手で操作することによって遊技球を入賞口に不正に誘導する。更に、糸を操作することによって入賞口内部の入賞センサに対して１つの遊技球を繰り返し出し入れし、あたかも多数の遊技球が入賞したかのように誤検出させて多数の賞球を不正に獲得する。
【０００６】
しかしながら、現時点では、入賞口での糸吊りゴトを防止する有効な対策が行われていない。入賞口に入賞した遊技球を糸で操作させないように、遊技球の出し入れを不可能としたり、糸を切断したりする方策があれば、糸吊りゴトによる不正行為を有効に防止することができる。
【０００７】
本願発明は、上記事情に鑑みたもので、いわゆる糸吊りゴトと呼ばれる不正行為を有効に防止し得る遊技機用の流入ユニット及び遊技機を提供することを例示的課題とする。
【課題を解決するための手段】
【０００８】
上記の課題を解決するために、本発明の例示的側面としての遊技機用の流入ユニットは、遊技媒体の流下による遊技を実現する遊技領域内に配置される遊技機用の流入ユニットであって、遊技媒体を流入させる流入開口部の下流側に配置されて、流入開口部に流入した遊技媒体の流下を検出する通過センサと、通過センサの近傍に配置されており、遊技媒体に糸状体が連結されて糸状体が遊技媒体を吊下している場合に通過センサ近傍において糸状体を切断する切断部と、を有する。
【０００９】
本発明の他の例示的側面としての遊技機は、遊技媒体を流入させる流入開口部と、流入開口部の下流側に配置されて、流入開口部に流入した遊技媒体の流下を検出する通過センサと、通過センサの近傍に配置されており、遊技媒体に糸状体が連結されて糸状体が遊技媒体を吊下している場合に通過センサ近傍において糸状体を切断する切断部と、を有し、かつ、遊技媒体の流下による遊技を実現する遊技領域内に配置される遊技機用の流入ユニットと、遊技領域を表面に画定する遊技盤と、遊技盤を保持する遊技機枠と、遊技盤の前方に一定距離離間して配置されるガラスと、遊技媒体を遊技領域に向けて発射する発射ユニットと、遊技媒体を貯留する貯留皿と、を有する。
【００１０】
本発明の更なる目的又はその他の特徴は、以下添付図面を参照して説明される好ましい実施の形態によって明らかにされるであろう。
【発明の効果】
【００１１】
本発明によれば、いわゆる糸吊りゴトと呼ばれる不正行為を有効に防止することができる。
【図面の簡単な説明】
【００１２】
【図１】実施の形態１に係るパチンコ機の正面図である。
【図２】図１に示すパチンコ機の背面図である。
【図３】実施の形態１に係る入球ユニットの全体構成の概略を示す構成図である。
【図４】図３に示す入球ユニットの動作説明図（遊技球の流下時）である。
【図５】図３に示す入球ユニットの動作説明図（遊技球の逆流時）である。
【図６】実施の形態２に係る入球ユニットの動作説明図である。
【実施するための形態】
【００１３】
［実施の形態１］
以下、本発明の実施の形態１について図面を用いて説明する。図１は、本発明の実施の形態１に係る電子回路基板を有する遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿（貯留皿）１４を有している。発射ユニットは、遊技盤ユニット５に構成される遊技領域１６に向けて１球ずつ遊技球（遊技媒体）２３が発射可能とされている。
【００１４】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００１５】
また、遊技機がパチンコ機である場合には、遊技媒体は遊技球（パチンコ球）であるが、遊技媒体としては、遊技球に限定されない。遊技機の種類によっては、遊技領域を流下する、例えば、コイン、メダル、ボール等種々の遊技媒体を概念することができる。
【００１６】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。なお、図柄変動遊技については後述する。
【００１７】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。部材やユニット等の詳細部分については、個別に別方向の名称を用いる場合もある。
【００１８】
また、遊技球２３が遊技領域１６を流下する場合、原則として流下方向（下方）が下流側であり、逆方向（上方）が上流側となるが、下流、上流の概念は上下に限定されず、あくまで遊技球の流下する方向を下流側と定義する。
【００１９】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００２０】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠は、遊技盤ユニット５を保持する前枠９と、後述する主制御基板ケース（基板ケース）３５と、を備えている。
【００２１】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００２２】
球皿１４は、遊技者の持ち球を貯留するためにパチンコ機２の前面に配置された皿部材であって、本実施の形態１においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００２３】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２４】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００２５】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態１においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００２６】
遊技釘２７は、遊技領域１６を流下する遊技球２３と衝突してその流下方向を変更させる流下変更部材であり、遊技領域１６内に多数配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００２７】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００２８】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００２９】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００３０】
図２に示すように遊技盤６の裏面側には、パチンコ機２の全体の制御を行う電子回路基板としての主制御基板３４を内包する主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００３１】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００３２】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００３３】
続いて、この実施の形態１に係る入球ユニット（流入ユニット）Ｕについて、図面を用いて説明する。図３は、実施の形態１に係る入球ユニットＵの全体構成の概略を示す構成図である。入球ユニットＵは、例えば、普通入賞口２８、始動入賞口２９、大入賞口３１等の入賞口の内部に配置されることが好ましい。また、ゲート３３の近傍に配置されることも考えられる。糸吊りゴトは、遊技球２３を繰り返し上下移動させることによって、多量の賞球を獲得する等の不正な利益を得る目的で行われるので、この入球ユニットＵは、遊技球２３が通過することにより遊技者に利益が付与される通過領域の近傍に配置されるのが一般的である。
【００３４】
例えば、普通入賞口２８は、１個の遊技球２３の入賞（入球）によって比較的多量の賞球が払い出されるように設定されることが多い。したがって、普通入賞口２８内部にこの入球ユニットＵが配置されれば、糸吊りゴトの防止効果が高い。本実施の形態１においては、普通入賞口２８内部に入球ユニットＵが配置されている場合について説明する。
【００３５】
図３において、符号２８ａは、普通入賞口の入賞開口（流入開口部）である。入賞開口２８ａの下流側には遊技球２３の入賞を検出する入賞センサ（通過センサ）４２が配置されており、入賞開口２８ａから入賞センサ４２まで通過経路２８ｂによって連通されている。通過経路２８ｂは、入賞センサ４２の更に下流側にまで延長形成されており、入賞開口２８ａから入賞した遊技球２３が、入賞センサ４２を通過して遊技盤６の裏面側（後面側）に流下するようになっている。
【００３６】
入球ユニットＵは、上記の入賞センサ４２とカッター部材（切断部）４４とを有して大略構成される。カッター部材４４は、入賞センサ４２の近傍に配置されており、その結果、入球ユニットＵは、全体として普通入賞口２８の入賞開口２８ａの近傍であってかつ下流側位置に配置される。
【００３７】
入賞センサ４２は、遊技球２３の通過を検出するための通過センサである。例えば、中央に遊技球２３が通過可能な開口が形成されており、その開口を遊技球２３が通過したときにオン信号を出力する。パチンコ機２においては、出力されたオン信号の信号数に応じて、入賞球の数が判断される。入賞センサ４２には、例えば、静電容量式、磁気式等の近接スイッチが適用可能である。
【００３８】
カッター部材４４は、図示するように、大略断面コ字状とされた揺動部材である。図４（ａ）に示すように、通常時においては、カッター部材４４は自重によって軸４５を中心として矢印Ｘ方向に回転し、その結果、入賞センサ４２の下流側において、下側片（当接片）４６が通過経路２８ｂ内に侵入している（初期位置）。このとき、上側片４７は、通過経路２８ｂ外に退避している。カッター部材４４には、図４（ａ）中に破線で示すように、矢印Ｘ方向に付勢するバネ（付勢手段）４４ａが取り付けられ、その付勢力によって矢印Ｘ方向に付勢されていてもよい。
【００３９】
一方、遊技球２３が入賞して入賞センサ４２を通過すると、下側片４６の上流側面（当接部）４６ａに当接する。そして、図４（ｂ）に示すように、遊技球２３はカッター部材４４の自重又は付勢力に抗して下側片４６を下流側へと押し下げる（回転位置）。その結果、カッター部材４４が軸４５を中心として−Ｘ方向に回転し、下側片４６が通過経路２８ｂ外に退避する。それと共に、上側片４７が入賞センサ４２の上流側において通過経路２８ｂ内に侵入する。したがって、バネ４４ａを用いる場合、その付勢力は、遊技球２３の流下を阻害しない程度の強度に設定する必要がある。
【００４０】
上側片４７の先端部には、カッター刃（刃部）４７ａが形成されており、上側片４７と共にカッター刃４７ａが通過経路２８ｂ内に侵入するようになっている。ここで、カッター刃４７ａは、少なくとも通過経路２８ｂの経路断面におけるセンター位置を超える程度に侵入することが好ましい。それにより、仮に遊技球２３に糸（糸状体）４８が連結された糸吊りゴトの場合であっても、カッター刃４７ａによって糸４８を切断することができる。
【００４１】
遊技球２３と下側片４６との当接により、カッター部材４４がその機械的な力によって回転することを利用してカッター刃４７ａを通過経路２８ｂ内に侵入させているので、カッター刃４７ａの侵入のために、電力や磁力等の他の動力を使用しない。したがって、省エネルギーとすることができる。シンプルな構造であるので、入球ユニットＵの動作信頼性も向上している。
【００４２】
下側片４６が入賞センサ４２の近傍であって、かつ下流側に配置されているので、遊技球２３が入賞センサ４２を通過した直後にカッター刃４７ａを通過経路２８ｂ内に侵入させることができる。したがって、遊技球２３に糸４８が連結されている場合であっても、遊技球２３が入賞センサ４２を通過した直後に糸４８を切断することができる。不正行為者が糸４８を操作することにより遊技球２３を入賞センサ４２に繰り返し出し入れすることを有効に防止することができる。
【００４３】
上側片４７は、必ずしも入賞センサ４２の近傍である必要はない。しかしながら、上側片４７が入賞センサ４２の近傍に配置されることで、入球ユニットＵ全体をコンパクトなユニットとすることができる。また、上側片４７を入賞センサ４２の上流側に配置することで、下側片４６と入賞センサ４２とをより近づけて配置することができる。
【００４４】
糸４８が切断された後の遊技球２３は、そのまま下側片４６を超えて下流へと流下する。遊技球２３が通過した後に、カッター部材４４は、その自重又はバネ４４ａの付勢力により再び初期位置（図４（ａ）に示す位置）に復元する。もちろん、遊技球２３に糸４８が連結されていない場合、すなわち不正でない通常の遊技球２３の場合は、遊技球２３の流下に何ら悪影響を及ぼすことなく、下側片４６が退避して遊技球２３を円滑に流下させる。
【００４５】
次に、仮にカッター刃４７ａで糸４８が切断されなかった場合について図５を用いて説明する。
【００４６】
カッター刃４７ａの通過経路２８ｂ内への侵入によっても糸４８が切断されなかった場合には、遊技球２３が下側片４６を乗り越えて下流側に流下した場合にも糸４８が遊技球２３に連結されたままの状態となる（図５（ａ））。遊技球２３が下側片４６を乗り越えるとすぐに、下側片４６は再び通過経路２８ｂ内に侵入する。
【００４７】
この状態から、不正行為者は、再びこの遊技球２３を入賞センサ４２に検出させるべく遊技球２３を逆流させようとする。すなわち、糸４８を引っ張ることにより、遊技球２３を上流方向へと移動させようとする。そうすると、遊技球２３が下側片４６の下流側面（第２当接部）４６ｂに当接し、遊技球２３が下側片４６を上流側に付勢しＸ方向に回転させようとする（図５（ｂ））。しかしながら、ストッパ部材５８がカッター部材４４の初期位置以上のＸ方向の回転を規制する。
【００４８】
下側片４６の先端部には、第２カッター刃（第２刃部）４６ｃが形成されている。この状態において、第２カッター刃４６ｃは糸４８に接触している。遊技球２３が下側片４６を上流側に付勢すると、カッター部材４４がＸ方向に回転し、第２カッター刃４６ｃが通過経路２８ｂ内に一層深く侵入する。その結果、不正行為者が糸４８を引っ張る力によって、第２カッター刃４６ｃが糸４８を切断する。
【００４９】
万一、カッター刃４７ａにより糸４８が切断されることなく遊技球２３が下側片４６を乗り越えても、遊技球２３が逆流方向から再度入賞センサ４２に到達することなく、第２カッター刃４６ｃが糸４８を切断する。したがって、糸吊りゴトが二重防止される。
【００５０】
なお、第２カッター刃４６ｃは、上流側面４６ａと下流側面４６ｂとに挟まれるように下側片４６の先端に形成されているが、その刃面（テーパ面）４６ｄは下向き（下流側向き）とされることが好ましい。刃面４６ｄを下向きとすることで、下流側面４６ｂの長さＬ１よりも上流側面４６ａの長さＬ２を長く形成することができる。そうすると、上流側から遊技球２３が流下してきた際に、遊技球２３と上流側面４６ａとの当接をより確実なものとすることができる。
【００５１】
［実施の形態２］
図６は、実施の形態２に係る入球ユニットＵ２の動作を説明する説明図である。図６においては、入球ユニットＵ２を側方から見ている。この実施の形態２においては、実施の形態１と同様の構成については、同様の符号を付し、その説明を省略する。
【００５２】
この入球ユニットＵ２は、入賞センサ４２の近傍かつ下流側に、カッター部材（切断部）５４が配置されている。カッター部材５４は、２つのカッター片５６を有している。２つのカッター片５６の各先端にはカッター刃５７が形成されている。２つのカッター片５６は、通過経路２８ｂに対し進退可能となっており、初期状態では自重又は図示しない付勢手段によって通過経路２８ｂ内に侵入するように位置している（図６（ａ））。
【００５３】
この初期状態において、２つのカッター片５６は各々通過経路２８ｂの経路断面におけるセンター位置を超える程度にまで延びている。その結果、２つのカッター片５６は入れ子状態となっている。
【００５４】
遊技球２３が入賞開口２８ａから流入し、入賞センサ４２を通過すると、２つのカッター片５６に当接する。２つのカッター片５６は、各々通過経路２８ｂから退避し、遊技球２３を流下させる（図６（ｂ））。
【００５５】
ここで、遊技球２３に糸４８が連結されている場合、不正行為者は糸４８を引っ張って糸吊りゴトを実行しようと試みる。遊技球２３が逆流方向に移動すると、遊技球２３がカッター片５６の下流側面５６ａに当接し、２つのカッター片５６が通過経路２８ｂ内への侵入方向へと移動し、再び図６（ａ）に示すような状態となる。２つのカッター片５６が扉が閉まるような動作で通過経路２８ｂを塞ぎ、その結果、２つのカッター刃５７が糸４８を切断する（図６（ａ）の破線で示した糸４８を参照。）。
【００５６】
以上、本発明の好ましい実施の形態を説明したが、本発明はこれらに限定されるものではなく、その要旨の範囲内で様々な変形や変更が可能である。
【符号の説明】
【００５７】
Ｌ１：下流側面の長さ
Ｌ２：上流側面の長さ
Ｕ，Ｕ２：入球ユニット（流入ユニット）
Ｘ：矢印
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿（貯留皿）
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２８ａ：入賞開口（流入開口部）
２８ｂ：通過経路
２９：始動入賞口
３０：アウト口
３１：大入賞口
３２：装飾部材
３３：ゲート
３４：主制御基板（電子回路基板）
３５：主制御基板ケース（基板ケース）
３６：演出制御基板ケース
３７：払出制御基板ケース
３８：電源基板ケース
３９：外部出力端子板
４２：入賞センサ（通過センサ）
４４：カッター部材（切断部）
４４ａ：バネ（付勢手段）
４５：軸
４６：下側片（当接片）
４６ａ：上流側面（当接部）
４６ｂ：下流側面（第２当接部）
４６ｃ：第２カッター刃（第２刃部）
４６ｄ：刃面（テーパ面）
４７：上側片
４７ａカッター刃（刃部）
４８：糸（糸状体）
５４：カッター部材
５６：カッター片
５６ａ：下流側面
５７：カッター刃
５８：ストッパ部材
【図１】
2012147996.tif 000003
【図２】
2012147996.tif 000004
【図３】
2012147996.tif 000005
【図４】
2012147996.tif 000006
【図５】
2012147996.tif 000007
【図６】
2012147996.tif 000008